(57)【要約】      （修正有）【課題】点的な指圧とともに、面的な揉みほぐしを可能とするマッサージ器を提供する。【解決手段】弾性材料からなる基材２と、この基材２内に挿入され、この基材２よりも硬質の材料からなる長尺状の芯材３とを備え、芯材３は、軸方向に直交する断面が非真円形状に形成されているとともに、この芯材３の一端部に、基材２から突出する突部３ａを備えている。【選択図】図１
0003198829.tif 000002
【実用新案登録請求の範囲】
【請求項１】
身体の適所を押圧してマッサージを行なうマッサージ器であって、弾性材料からなる基材と、この基材内に挿入され、この基材よりも硬質の材料からなる長尺状の芯材とを備え、前記芯材は、軸方向に直交する断面が非真円形状に形成されているとともに、この芯材の一端部に、前記基材から突出する突部を備えていることを特徴とするマッサージ器。
【請求項２】
前記基材が、スポンジによって形成されていることを特徴とする請求項１に記載のマッサージ器。
【請求項３】
前記基材には、その外周を覆う筒状の被覆帯が着脱可能に装着されていることを特徴とする請求項１または請求項２に記載のマッサージ器。
【請求項４】
前記基材には、この基材外周の一部を覆って取り付けられる保持部材が着脱可能に設けられていることを特徴とする請求項１ないし請求項３の何れかに記載のマッサージ器。
【請求項５】
前記芯材の軸方向に直交する断面が、多角形状に形成されていることを特徴とする請求項１ないし請求項４の何れかに記載のマッサージ器。
【請求項６】
前記芯材の軸方向に直交する断面が、楕円形状に形成されていることを特徴とする請求項１ないし請求項４の何れかに記載のマッサージ器。
【考案の詳細な説明】
【技術分野】
【０００１】
本考案は、マッサージ器に係わり、特に、被施術者の身体に押し付けることにより、その身体をほぐすようにしたマッサージ器に関するものである。
【背景技術】
【０００２】
従来、この種のマッサージ器として、たとえば、特許文献１に示される構造のものが知られている。
【０００３】
この従来のマッサージ器は、棒状の基材の先端および側面に、多数の突起を突設しておき、これらの突起を、被施術者の身体に押し付けることにより、その身体をほぐすようにしたものである。
【０００４】
そして、身体をほぐす方法として、それぞれの突起を、その突出方向に沿って前記身体に押し付けることにより、身体の定位置をほぐす方法、あるいは、側面に突設された突起を身体に押し付けた状態で、前記基材を回転させつつ身体に沿って移動させることにより、身体の押圧位置を移動させつつほぐす方法がとられる。
【先行技術文献】
【特許文献】
【０００５】
【特許文献１】特開２００９−２０７８６４号公報
【考案の概要】
【考案が解決しようとする課題】
【０００６】
前述した従来の技術によって、手軽に指圧等のマッサージを行なうことができるようになったが、なお、つぎのような解決すべき問題点が残されている。
【０００７】
すなわち、マッサージ器を身体に沿って移動させつつほぐしを行なう場合にあっては、前記基材側面に設けられた突起が、身体に、距離を置いて順次押し付けられる。
【０００８】
したがって、順次押し付けられる突起間ではほぐしが行なわれず、位置をずらしながらの、一点に集中した指圧作用しか得られない。
【０００９】
しかしながら、被施術者は、指圧を行なう一点を含むある領域全体をほぐすような揉みほぐしによるマッサージを希望することが多く、また、マッサージとしては、このような面的な揉みほぐしの方が高いマッサージ効果が得られる。
【００１０】
本考案は、前述した従来の技術において残されている問題点に鑑みてなされたもので、点的な指圧とともに、面的な揉みほぐしを可能とするマッサージ器を提供することを解決すべき課題とする。
【課題を解決するための手段】
【００１１】
本考案のマッサージ器は、前述した課題を解決すべく、身体の適所を押圧してマッサージを行なうマッサージ器であって、弾性材料からなる基材と、この基材内に挿通される硬質材料からなる長尺状の芯材とを備え、前記芯材の断面が非真円形状に形成されているとともに、一端部が、前記基材の表面に位置させられ、かつ、この芯材の一端部に、前記芯材から突出する突部が形成されていることを特徴としている。
【００１２】
このような構成とすることにより、一点を集中して指圧する場合には、先端に設けられた突部を、目的の部位に押し付けることによって行なうことができる。
【００１３】
一方、面的な揉みほぐしを行なう場合には、前記芯材が身体表面と略平行となるように位置させるとともに、前記芯材を身体へ向けて押し付けつつ身体に沿って転動させる。
【００１４】
このような操作によって、前記芯材が軸線回りに回動させられるとともに、その間に、前記芯材が非真円形状となされていることから、軸心から離間した部位が身体に対峙させられる状態と、軸心に近い部位が身体に対峙させられる状態とが交互に生じる。
【００１５】
ここで、前記芯材が、弾性材料からなる基材で覆われていることから、前記芯材の外周の何れの部位が身体に対峙させられていても、前記芯材を介して与えられる押圧力が、前記基材を介して切れ目なく前記身体に作用する。
【００１６】
そして、特に、前記芯材の軸心に近い部位が身体に対峙させられた状態から、前記芯材の軸心から離間した部位が身体に対峙させられる状態に移行する際に、前記基材を変形させる力が増加する。
【００１７】
したがって、身体のある領域において、身体に対する押圧力、すなわち、指圧力が緩やかに変化しつつ、かつ、連続的に身体に作用する。
これによって、面的な揉みほぐし効果が得られる。
【００１８】
前記基材は、好適にはスポンジによって形成され、このスポンジは、天然スポンジ、ウレタンフォーム等の合成樹脂製スポンジ等が用いられる。
【００１９】
このようにスポンジを用いると、その弾性特性により、指圧力となる押圧力を、前記芯材から身体へ効果的に伝達することができる。
また、合成樹脂製スポンジを用いる場合にあっては、その弾性特性を容易に調整することができるので、前述した身体へ作用する指圧力の調整が可能となる。
【００２０】
また、前記基材に、この基材の表面を覆う筒状の被覆帯を着脱可能に設けることもできる。
【００２１】
このように前記基材の表面を前記被覆帯によって覆うことにより、マッサージ器を掴む際に、把持する手との馴染みを良くし、操作性を向上させることができる。
【００２２】
また、模様や色彩が異なる被覆帯を用意しておき、これらを選択的に装着することにより、マッサージ器を使用する環境に応じた意匠に調整することができる。
【００２３】
さらに、前記基材に、この基材外周の一部を覆って取り付けられる保持部材を着脱可能に設けることができる。
【００２４】
このように保持部材を設けると、前記保持部材によってマッサージ器の転がりを防止し、これによって、前記芯材の向きを一定に保持して、この芯材によって生じさせられる指圧力を一定に保持することができる。
【００２５】
また、前述したようにマッサージ器の転がりを防止することにより、不使用時に、マッサージ器を定位置に位置させて、その取り扱いを容易にすることができる。
【００２６】
そして、前記芯材の断面は、三角形、四角形、五角形等の多角形状や、楕円形状とすることができ、その断面形状は、非真円形状であれば任意の形状を採用することができる。
【考案の効果】
【００２７】
本考案のマッサージ器によれば、点的な指圧とともに、面的な揉みほぐしを可能とし、かつ、揉みほぐしの際に、面方向に指圧力を変化させて、その揉みほぐし効果を高めることができる。
【図面の簡単な説明】
【００２８】
【図１】本考案の第１の実施形態を示す正面図である。
【図２】本考案の第１の実施形態を示す左側面図である。
【図３】本考案の第１の実施形態を示す右側面図である。
【図４】本考案の第１の実施形態を示す分解斜視図である。
【図５】本考案の第１の実施形態の一使用例を示す斜視図である。
【図６】本考案の第１の実施形態の他の使用例を示す左側面図である。
【図７】本考案の第２の実施形態を示す正面図である。
【図８】本考案の第２の実施形態を左側面から見た分解図である。
【図９】本考案の第２の実施形態の右側面図である。
【図１０】本考案の第２の実施形態の使用例を示す左側面図である。
【図１１】本考案の第２の実施形態の他の使用例を示す側面図である。
【図１２】本考案の第３の実施形態を示す分解斜視図である。
【考案を実施するための形態】
【００２９】
以下、本考案の第１の実施形態を図１ないし図６を参照して説明する。
これらの図において符号１は、本実施形態のマッサージ器を示し、このマッサージ器１は、弾性材料からなる基材２と、この基材２内に挿入され、この基材２よりも硬質の材料からなる長尺状の芯材３とを備え、前記芯材３は、軸方向に直交する断面が非真円形状に形成されているとともに、この芯材３の一端部に、前記基材２から突出する突部３ａを備えた構成となっている。
【００３０】
前記基材２は、弾性材料として、たとえば、天然スポンジやウレタンフォーム等の合成樹脂製スポンジ等からなるスポンジによって形成されている。
また、本実施形態においては、前記基材２が、円柱状に形成されて、その軸心に沿うように、断面が三角形状の貫通孔２ａが形成されている。
【００３１】
前記芯材３は、その断面形状が、前記基材２に形成された貫通孔２ａと略同一の三角形となされており、また、その長さが、前記基材２の長さとほぼ同一となされている。
【００３２】
そして、前記芯材３は、前記基材２の貫通孔２ａ内に挿通されてこの基材２に装着されるが、その際に、前記基材２と前記芯材３との間に適度な摩擦が生じるように、前記基材２の貫通孔２ａと前記芯材３の断面寸法が設定されている。
また、前記芯材３と前記基材２とは、その断面形状により相対回転不能となされており、これらは、たとえば人体に例えると、前記芯材３が骨に相当し、前記基材２が皮下組織・筋膜に相当する。
【００３３】
前記突部３ａは、球殻状に形成されて、前記芯材３が前記基材２に装着された状態において、この基材２の端面に当接させられて、この端面から盛り上がるように位置させられるようになっている。
そして、前記突部３ａが前記基材２の端面に当接させられていることにより、前記突部３ａで身体を押圧した際に、前記芯材３が前記基材２から離脱するおそれがない。
【００３４】
ついで、このように構成された本実施形態のマッサージ器１の使用方法について、図５および図６を参照して説明する。
【００３５】
まず、ピンポイントで指圧を行なう場合には、図５に示すように、マッサージ器１を、その基材２を掴むようにして保持し、この基材２の端面において突出する突部３ａを、身体の目的の部位に押し付ける。
【００３６】
この操作によって、ピンポイントの指圧を行なうことができる。
ここで、前記基材２を掴む際の把持力を強めると、前記基材２の変形量が増加して剛性が高まり、これに伴って、前記基材２から前記芯材３に伝わる押圧力も高まり、この結果、マッサージ器１を身体に押し付ける力がより多く身体に伝わり、高い指圧力を生じさせることができる。
【００３７】
したがって、前記基材２の把持力を調整することによって、指圧力を調整することが可能であり、かつ、前記基材２の剛性変化を細かく調整することができるので、繊細な指圧を行なうことができる。
【００３８】
一方、身体に沿ってある範囲を揉みほぐす場合には、図６に示すように、マッサージ器１を、前記身体に押し付けつつ、前記芯材３の長さ方向と交差する方向に転がすように移動させる。
【００３９】
このような操作において、まず、マッサージ器１を身体に押し付けた際に、前記基材２が押し潰されることにより、その内部の芯材３が身体へ向けて押圧されるとともに、その押圧力が、前記押し潰された基材２を介して身体へ作用する（図６（ａ）参照）。
これによって、身体への指圧が行なわれる。
【００４０】
ついで、マッサージ器１を転がすと、前述した指圧力を発生させた状態で、その指圧点が連続的に移動する。
これによって、面方向に連続して指圧を行なって揉みほぐしを行なうことができる（図６（ａ）ないし図６（ｄ）参照）。
【００４１】
このような揉みほぐしの際にも、マッサージ器１を押し付ける力が、前記基材１の変形量によって調整されて身体に作用することから、細かな指圧力、揉みほぐし力の調整を行なうことができる。
【００４２】
一方、前述したマッサージ器１の転動動作に伴って、中心にある前記芯材３もその軸線を中心として回動させられる。
そして、この芯材３の断面形状が三角形となされていることにより、前述したマッサージ器１の転動により、前記芯材３の頂点部分と辺部分とが、交互に身体に対峙させられる。
【００４３】
ここで、前記辺部部分が身体に対峙させられた状態から、頂点部分が身体に対峙させられる状態への移行時（図６（ｃ）から図６（ｄ）への移行時）に、前記頂点部分が前記基材２をさらに押し潰すように作用する。
これに伴い、前記基材２を介して身体に加わる指圧力が一時的に高められる。
【００４４】
また、前記頂点部分が身体に対峙させられる状態から、前記辺部分が身体に対峙させられる状態への移行時（図６（ａ）から図６（ｃ）への移行時）には、前述した現象とは逆に、前記基材２を介して身体に加わる指圧力が漸次低下する。
【００４５】
したがって、マッサージ器１を身体に押し付けた状態で転がすことにより、指圧力を変化させつつ指圧位置を移動させることができる。
これによって、滑らかで効果的な揉みほぐしを行なうことができる。
しかも、前記基材２を弾性材料によって形成したことにより、マッサージ器１と身体との接触を柔らかなものとし、急な当たりを避け、また、徐々に圧力をかけるようにして、体に優しい接触を実現することができる。
【００４６】
図７ないし図１１は、本考案の第２の実施形態を示す。
本実施形態は、前記基材２に、この基材２外周の一部を覆う保持部材４を着脱可能に設けた構成としたものである。
【００４７】
前記保持部材４は、硬質材料によって略直方体状に形成されているとともに、前記基材２の側面が約半周にわたって嵌合させられる保持凹部４ａが形成されている。
【００４８】
前記保持凹部４ａの断面形状が、前記基材２の表面に沿うように円弧状に形成されており、好ましくは、前記基材２が嵌合させられた状態において、摩擦により前記基材２を係止するようにする。
【００４９】
このような構成とすることにより、図１０に示すように、前記保持部材４は、この保持部材４に前記基材２を嵌合保持させた状態において、この基材２を、その姿勢変化を拘束した状態、すなわち、軸回りの回動を拘束した状態に保持する。
換言すれば、前記基材２に嵌着されている前記芯材３を、その軸線回りの姿勢変化を拘束した状態に保持することができる。
【００５０】
この状態で、前記マッサージ器１を身体に接触させることにより、前記芯材３の姿勢に応じた一定の指圧力を、継続的に身体に作用させることができる。
これによって、被施術者は、好みの指圧力を選択して使用することができる。
【００５１】
また、不使用時において、前記基材２の転がりを防止することができる。
さらに、前記保持部材４を、その一端面が、前記基材２の一端面（前記突部３ａが位置させられていない端部）と略同一面となるように装着しておくことにより、不使用時には、図１１に示すように、マッサージ器１を、前記保持部材４および基材２の一端面を下方にし、かつ、前記基材２の前記突部３ａが設けられた他端部を上方にして、立てた状態に保持することができる。
したがって、保管が容易である。
【００５２】
図１２は、本考案の第３の実施形態を示す。
本実施形態は、前記基材２に、その外周を覆う筒状の被覆帯５を着脱可能に装着したものである。
【００５３】
前記被覆帯５は、布、皮、合成樹脂等の、可撓性を有し前記基材２の変形を阻害しない材料によって形成される。
【００５４】
そして、前記基材２の外周には、前記被覆帯５が嵌め込まれる環状凹部２ｂが形成されている。
【００５５】
前記被覆帯５は、前記マッサージ器１の基材２を縮径させるように変形させて前記被覆帯５内に挿入した後に、この基材２への変形力を開放することによって、この基材２の外周に装着される。
【００５６】
前記被覆帯５によって前記基体２が覆われたマッサージ器１にあっては、使用時における手との馴染みが良く、その取り扱いが容易である。
【００５７】
また、前記被覆帯５の表面に、図柄や色彩による装飾を施すことにより、マッサージ器１に意匠的効果を付与することができる。
そして、前述した装飾を代えることにより、使用する環境にあった意匠とすることができる。
【００５８】
なお、前記実施形態において示した各構成部材の諸形状や寸法等は一例であって、設計要求等に基づき種々変更可能である。
【００５９】
たとえば、前記実施形態においては、前記芯材３の断面形状を三角形とした例について示したが、四角形や五角形等の他の多角形形状とすることができる。
また、多角形形状に代えて、楕円形状とすることも可能であり、要は真円形状以外の断面であればよい。
【００６０】
また、前記基材２を円柱状とした例について示したが、身体上を転動可能な形状であれば円柱以外の形状とすることができ、その材料も、スポンジに限らず、ＥＶＡ等の柔らかい合成樹脂を用いることができる。
【符号の説明】
【００６１】
１  マッサージ器
２  基材
２ａ  貫通孔
３  芯材
３ａ  突部
４  保持部材
４ａ  保持凹部
５  被覆帯
【図１】
0003198829.tif 000003
【図２】
0003198829.tif 000004
【図３】
0003198829.tif 000005
【図４】
0003198829.tif 000006
【図５】
0003198829.tif 000007
【図６】
0003198829.tif 000008
【図７】
0003198829.tif 000009
【図８】
0003198829.tif 000010
【図９】
0003198829.tif 000011
【図１０】
0003198829.tif 000012
【図１１】
0003198829.tif 000013
【図１２】
0003198829.tif 000014